(57)【要約】【課題】    遠隔地に設置されている商用電源の切断状況と蓄電池の残容量の算出を遠隔にて監視し、商用電源が切断状態になった際には、保守担当者に自動的に通知し、蓄電池が枯渇する前に交換することを可能とする。【解決手段】  拠点に商用電源断状態の監視と蓄電池の残容量を測定する機能を備える蓄電池残容量監視装置を設け、商用電源断の検出時および蓄電池の残容量を測定したときに情報を制御局へ通知し、制御局側では前記通知により保守担当者に対して商用電源断が発生した拠点に派遣できるように自動的に通知するように構成する。【選択図】      図１
2006353023.tif 000002
【特許請求の範囲】
【請求項１】
商用電源と蓄電池が設置されている複数の拠点に、商用電源の切断を検出する商用電源断検出手段と、
蓄電池の電源の残容量値を算出する蓄電池残容量算出手段と、
前記検出した商用電源の電源断情報を通信ネットワークを介して制御局に通知する電源断通知手段と、
前記算出した蓄電池の電源の残容量値を通信ネットワークを介して制御局に通知する蓄電池残容量通知手段とを備え、
制御局側に、前記通知された商用電源の電源断情報を操作者に通知する電源断表示手段と、前記通知された蓄電池残容量値を操作者に通知する残容量表示手段と、
を備えることを特徴とする蓄電池残容量遠隔監視システム。
【請求項２】
さらに制御局側に、前記受信した蓄電池の残容量値を用いて前記蓄電池が枯渇するまでの時間を算出する枯渇予想時間算出手段を備えることを特徴とする請求項１に記載の蓄電池残容量遠隔監視システム。
【請求項３】
前記商用電源断を検出したとき、または蓄電池の残容量値を算出したときに、通信ネットワークを介して保守者に商用電源断が発生したこと、または前記算出した蓄電池の残容量値のいずれかまたは両方とも通知する電気障害発生通知手段を備えることを特徴とする請求項１または２に記載の蓄電池残容量遠隔監視システム。
【請求項４】
保守者に通知する手段は電話、ＦＡＸ、電子メールもしくはボイスメールであることを特徴とする請求項３に記載の蓄電池残容量遠隔監視システム。
【請求項５】
さらに制御局側に複数拠点で蓄電池の残容量値の通知があったときに、通信ネットワークを介して保守者に訪問する拠点の順番を作成する拠点訪問順序作成手段を備え、
保守者に前記訪問する拠点の順番を通知する拠点訪問順序通知手段を備えることを特徴とする請求項３ないし４のいずれか一に記載の蓄電池残容量遠隔監視システム。
【請求項６】
さらに各拠点に複数の蓄電池を有している場合に、他の蓄電池へと切り替えを行う蓄電池切替手段を備えることを特徴とする請求項１ないし５のいずれか一に記載の蓄電池残容量遠隔監視システム。
【請求項７】
前記蓄電池切替手段を通信ネットワークを介して遠隔から操作できる切替装置遠隔操作手段を備えることを特徴とする請求項６に記載の蓄電池残容量遠隔監視システム。
【請求項８】
商用電源と蓄電池が設置されている複数の拠点に、前記商用電源の切断を検出するステップと、
前記検出した商用電源の電源断情報を通信ネットワークを介して制御局に通知するステップと、
前記蓄電池の電源の残容量を算出するステップと、
前記算出した蓄電池の電源の残容量を通信ネットワークを介して制御局に通知するステップとを含み、
制御局側に、前記通知された商用電源の電源断情報を操作者に通知するステップと、
前記通知された蓄電池の電源の残容量値を操作者に通知するステップとを含むことを特徴とする蓄電池残容量遠隔監視方法。
【請求項９】
さらに前記複数の各拠点に、制御局側に前記受信した蓄電池の残容量値を用いて前記蓄電池が枯渇するまでの時間を算出するステップを含み、
前記商用電源断を検出したとき、または前記蓄電池の残容量値を算出したときに、通信ネットワークを介して保守者に商用電源断が発生したこと、または前記算出した蓄電池の残容量値のいずれかまたは両方ともを通知するステップを含むことを特徴とする請求項８に記載の蓄電池残容量遠隔監視方法。
【請求項１０】
さらに保守者に通知する手段は、電話、ＦＡＸ、電子メールもしくはボイスメールであることを特徴とする請求項９に記載の蓄電池残容量遠隔監視方法。
【請求項１１】
さらに制御局側において、複数拠点で蓄電池の残容量値の通知があったときに、通信ネットワークを介して保守者に訪問する拠点の順番を作成するステップと、保守者に前記訪問する拠点の順番を通知するステップを含むことを特徴とする請求項９または１０に記載の蓄電池残容量遠隔監視方法。
【請求項１２】
さらに各拠点に複数の蓄電池が備えられている場合に、前記複数の各拠点に、他の蓄電池へと切り替えを行うステップを含み、
制御局側に、前記切り替えを通信ネットワークを介して遠隔から指示するステップを含むことを特徴とする請求項８ないし１１のいずれか一に記載の蓄電池残容量遠隔監視方法。
【発明の詳細な説明】
【技術分野】
【０００１】
本発明は、各事業場に設置しているたとえば通信用の蓄電池の残容量を測定するシステムに係り、通信ネットワークを経由して蓄電池の残容量を遠隔で測定するシステムに関する。
【背景技術】
【０００２】
従来電力会社においては、事業場には商用電源と通信用の電源装置である蓄電池が設置されている。商用電源、通信機器の動作状況および蓄電池の残容量の監視などは従来、通信用故障情報伝送装置（ＳＶＥ）にて行われている。また商用電源がダウンした際には、通信用電源装置である蓄電池が通信機器への電力供給を行っている。通信用故障情報伝送装置が設置されている事業場では、商用電源がダウンした際には通信用故障情報伝送装置からの連絡により保守者が現場に修理に行ったり、蓄電池を新しいものに交換したりする作業などを行っている。
【０００３】
しかし全ての事業場に通信用故障情報伝送装置が設置されてはいないため、通信用故障情報伝送装置が無い事業場で商用電源がダウンした場合は通信用電源装置である蓄電池が使用されるがその残容量などは知る方法が無いのが現状である。よって、蓄電池が枯渇すると通信停止が発生するため、通信停止を制御局側で検出する。この通信停止により回線断を検出し、警報装置が動作し蓄電池が枯渇したことを知るという手順になっている。また特許文献１では、蓄電池の残容量の表示装置についての提案がなされている。
【特許文献１】特許第３３４５１８５号公報
【発明の開示】
【発明が解決しようとする課題】
【０００４】
ところが、特許文献１においては、遠隔にて行う蓄電池の残容量の検出については記載が無い。さらに蓄電池は、枯渇するとその容量の低下が発生し最悪は再使用不可能になることもあり、新たな蓄電池を使用せざるを無くなるという特性を有している。また、通信用事故障情報伝送装置を全ての拠点に設置すれば課題は解決するが、それには莫大なコストを要する。
【０００５】
本発明は、このような従来の問題に鑑みてなされたもので、全ての拠点に通信用故障情報伝送装置を設置することなく、商用電源の切断および蓄電池の枯渇状況を遠隔から把握できるようなシステムを提供することを目的とする。
【課題を解決するための手段】
【０００６】
上記目的を達成するため、本発明に関わる蓄電池残容量遠隔監視システムは、商用電源と蓄電池が設置されている複数の拠点に、商用電源の切断を検出する商用電源断検出手段と、前記検出した商用電源の電源断情報を通信ネットワークを介して制御局に通知する電源断通知手段と蓄電池の電源の残容量値を算出する蓄電池残容量算出手段と、前記算出した蓄電池の電源の残容量値を通信ネットワークを介して制御局に通知する蓄電池残容量通知手段とを備え、制御局側に、前記通知された商用電源の電源断情報を操作者に通知する電源断表示手段と前記通知された蓄電池残容量値を操作者に通知する残容量表示手段とを備えることを特徴とする。
【０００７】
本発明では、商用電源の電源断情報を監視し、検出した場合は制御局側に通知する。これにより拠点側に設けられた蓄電池残容量算出手段を遠隔から制御して拠点の蓄電池の残容量を測定し結果を得ることになる。
【０００８】
さらに制御局側に、前記受信した蓄電池の残容量値を用いて前記蓄電池が枯渇するまでの時間を算出する枯渇予想時間算出手段を備えることも好ましい。また、前記商用電源断を検出したとき、または蓄電池の残容量値を算出したときに、通信ネットワークを介して保守者に商用電源断が発生したこと、または前記算出した蓄電池の残容量値のいずれかまたは両方を通知する電気障害発生通知手段を備えることも良い。
【０００９】
本発明では、遠隔の拠点に設置された蓄電池の電源の残容量値を取得し、その値の変移などにより蓄電池の枯渇予想時間を算出する。
【００１０】
さらに保守者に通知する手段は電話、ＦＡＸ、電子メールもしくはボイスメールであるのも好ましい。加えて、制御局側に複数拠点で蓄電池の残容量値の通知があったときに、通信ネットワークを介して保守者に訪問する拠点の順番を作成する拠点訪問順序作成手段を備え、保守者に前記訪問する拠点の順番を通知する拠点訪問順序通知手段を備えることおよび各拠点に複数の蓄電池を有している場合に、他の蓄電池へと切り替えを行う蓄電池切替手段を備え、遠隔にて前記蓄電池切替手段を操作することも好ましい。
【００１１】
本発明では、商用電源断が発生したときに、保守者に対して着実に障害発生の通知を行い、保守者は順序どおりに訪問することが可能となる。さらに蓄電池の２重化などを行っている拠点では遠隔にて蓄電池の切り替えを行うことができる。
【００１２】
上記目的を達成するための方法として、本発明に関わる蓄電池残容量遠隔監視方法は、商用電源と蓄電池が設置されている複数の拠点に、前記商用電源の切断を検出するステップと、前記検出した商用電源の電源断情報を通信ネットワークを介して制御局に通知するステップと、前記蓄電池の電源の残容量を算出するステップと、前記算出した蓄電池の電源の残容量を通信ネットワークを介して制御局に通知するステップとを含み、制御局側に、前記通知された商用電源の電源断情報を操作者に通知するステップと、前記通知された蓄電池の電源の残容量値を操作者に通知するステップとを含むことを特徴とする。
【００１３】
さらに前記複数の各拠点に、制御局側に前記受信した蓄電池の残容量値を用いて前記蓄電池が枯渇するまでの時間を算出するステップを含み、前記商用電源断を検出したとき、または前記蓄電池の残容量値を算出したときに、通信ネットワークを介して保守者に商用電源断が発生したこと、または前記算出した蓄電池の残容量値のいずれかまたは両方ともを通知するステップを含むように構成することも好ましい。さらに好ましくは、保守者に通知する手段は、電話、ＦＡＸ、電子メールもしくはボイスメールであるように構成する。
【００１４】
さらに制御局側において、複数拠点で蓄電池の残容量値の通知があったときに、通信ネットワークを介して保守者に訪問する拠点の順番を作成するステップと、保守者に前記訪問する拠点の順番を通知するステップを含むように構成することも好ましい。さらに好ましくは、各拠点に複数の蓄電池が備えられている場合に、前記複数の各拠点に、他の蓄電池へと切り替えを行うステップを含み、制御局側に、前記切り替えを通信ネットワークを介して遠隔から指示するステップを含むように構成する。
【発明の効果】
【００１５】
以上説明したように本発明によれば、遠隔地の設備に使用される商用電源の切断の情報および該遠隔地に設置されている蓄電池の電源の残容量を計測し、その枯渇状況および枯渇予想時間を制御局側で把握することができる。さらに複数の拠点で商用電源断が発生した場合に、電話、ＦＡＸ、電子メールまたは携帯のメールなどの通信手段を用いて自動的に保守者に訪問する拠点の順序を通知し、保守を容易に行うことができるようになる。また拠点に複数の蓄電池が設置されている場合は、その切替え装置を設置することで遠隔で制御することが可能となる。
【発明を実施するための最良の形態】
【００１６】
以下、本発明を実施するための最良の形態について説明する。図１は本発明の第１の実施の形態に関わる蓄電池残容量遠隔監視システム１および拠点の蓄電池等監視装置５の機能ブロック図である。図１において蓄電池残容量監視システム１および蓄電池等監視装置５は通信ネットワーク４を介して接続されている。通信ネットワーク４としては拠点と制御局を結ぶ回線として従来の専用線を借りて敷設する独自のネットワークや、ＡＤＳＬ(Asymmetric Digital Subscriber Line)回線、ＦＴＴＨ(Fiber To The Home)回線またはＣＡＴＶ回線などを利用したインターネット網などがある。
【００１７】
さらにインターネットのような開かれたネットワークの場合はネットワーク内を送受信されるデータの内容は平文であるためセキュリティの問題が発生する。よってＰＰＴＰ（Point to Point Tunneling Protocol）、ＳＯＣＫＳ、ＩＰ−ＳＥＣ（IP Security Protocol）などの暗号化を行う暗号化通信プロトコルを使用したＶＰＮ（Virtual Private Network）をお互いに張りデータの送受信を行う。
蓄電池残容量遠隔監視システム１は、概略として図１のブロック図に示すように通信ネットワーク４とのデータの送受信を終端する送受信部１２、操作者が行うキーボードなどの外部からの入力を受け付ける入力部１５、内部処理の結果を外部へ見せる表示部１６、各種データおよびデータベースを格納する記憶部１４および通信ネットワーク４および入力部１５からの情報もとに記憶部に格納しているデータを用いて演算したり、演算の結果の内容の書き換えを行ったりする中央演算処理部１３から構成されている。さらに記憶部１４は、各拠点の必要情報を格納している拠点情報ＤＢ１４１と各拠点の商用電源が切断状態になったときの蓄電池残容量ならびに蓄電池の枯渇予測時間などを格納している商用電源断情報ＤＢ１４２から構成されている。
【００１８】
中央演算処理部１３は複数の機能を有し、その有する機能ごとに複数の手段に分けられている。拠点の商用電源が切断状態になったときに拠点の蓄電池等監視装置から受信する情報を制御局の操作者に通知する電源断表示手段（機能）１３３、拠点の商用電源が切断された後に拠点の蓄電池等監視装置から送信される蓄電池の電源の残容量を受信し、蓄電池残容量遠隔監視システム１の操作者に通知する残容量表示手段（機能）１３４、受信した拠点の蓄電池の残容量のデータより電源容量が枯渇するまでの枯渇予想時間を予測する枯渇予想時間算出手段（機能）１３５および商用電源が切断されたことならびにその時点での蓄電池の残容量をその拠点の保守者に通知する電気障害発生通知手段（機能）１３６から構成されている。
【００１９】
拠点の蓄電池等監視装置５も概略的には通信ネットワーク４を介して制御局の蓄電池残容量遠隔監視システム１と交換する情報の送受信を終端する送受信部５２、蓄電池等監視装置５を操作者がキーボードなどで操作する際に入力される情報を制御する入力部５５、蓄電池等監視装置５が操作者に対して行う情報通知を表示する表示部５６および監視などのさまざまな作業を司る中央演算処理部か５３ら構成されている。さらに中央演算処理部５３は、商用電源の入り切り情報を検出する機能を有する商用電源断検出手段５３３、商用電源の切断を検出したときにその内容を制御局の蓄電池残容量遠隔監視システム１に通信プロトコルを用いて通知する機能を有する電源断通知手段５３４、商用電源が切断した後に蓄電池の残容量を測定し算出する蓄電池残容量算出手段５３５、算出した蓄電池の残容量値を制御局の蓄電池残容量遠隔監視システム１に通信プロトコルを用いて通知する機能を有する蓄電池残容量通知手段５３６から構成されている。
【００２０】
蓄電池残容量遠隔監視システム１および拠点の蓄電池等監視装置５は以上のように構成され、以下の各々の動作について説明する。図２は、記憶部に保存されるデータとして複数に分散している各拠点を管理するのに必要な情報を保存している拠点情報ＤＢ１５１の構成を示している。本データは各拠点ごとに常に存在するデータである。拠点情報ＤＢ１５１は、その拠点の拠点ＩＤ、その拠点の住所、その拠点の保守担当者、前記保守担当者に連絡を入れる場合の電話、ＦＡＸ、メールなどの連絡手段、連絡先電話番号、正常運転中もしくは切断中を示す商用電源の直近の状態、その拠点に設置されている蓄電池の種類および前記蓄電池の残容量状態（パーセント表記）から構成されている。
【００２１】
次に図３は、記憶部に備えられている商用電源断情報ＤＢ１５２の構成を示している。商用電源断情報ＤＢ１５２は、商用電源の切断が検出された際に該当の拠点がリンクされていく構成となっており、リンク先と電源断拠点の総数および、電源断になっている拠点の拠点ＩＤが登録されており、さらに各拠点ごとに、既に連絡済か未連絡かを登録するエリアと、たとえば周期的に測定した時刻ごとにそのときの蓄電池の電源の残容量と、詳細は後で説明する顧客予想時間算出手段１３５が書き込む枯渇予測時間から構成されている。本商用電源断ＤＢ１５２は商用電源の切断が発生していない通常運転中は、リンク先として、何も無いことを示す"ＦＦ"などの文字列を登録しても良い。また電源断拠点総数には"０"が登録されており、その場合は商用電源が切断されている拠点は存在しないことを示している。よってこのデータは時々刻々と電源断拠点総数の数値が増減したり、リンク先の情報が増減したりするものである。
【００２２】
次に拠点の蓄電池等監視装置５が行う動作について図４を用いて説明する。蓄電池等監視装置５はたとえば周期的に図４の左側に示しているフローに従った動作を行う。図４中の右側は蓄電池残容量遠隔監視システム１の連携した動作を示すフローである。蓄電池等監視装置５は先ず商用電源が切断されていないかをチェックする「商用電源断チェックルーチン」を起動する（Ｓ４１）。戻り値より切断が発生していないか判断し（Ｓ４２）、発生していなければ処理を終了する（Ｓ４２のｙｅｓのルート）。電源断が発生していれば次にその発生を通知するために「商用電源断通知ルーチン」を起動して蓄電池残容量遠隔監視システム１に商用電源の電源断が発生したことを通知する（Ｓ４３）。通知を受けた蓄電池残容量遠隔監視システム１は対応する拠点の商用電源断を拠点情報ＤＢ１５１と商用電源断情報ＤＢ１５２に書き込む（Ｓ４６）。この時、電源断拠点総数に１を加え、リンク先に該当の拠点ＩＤを追記するものである。
【００２３】
次に商用電源断が発生している場合は蓄電池が動作しているので蓄電池の残容量を測定するために「蓄電池チェックルーチン」を起動する（Ｓ４４）。その後、「蓄電池チェックルーチン」からの戻り値により蓄電池の残容量を入手し蓄電池残容量遠隔監視システム１に通知する（Ｓ４５）。該当拠点の蓄電池の残容量値を受信した蓄電池残容量遠隔監視システム１は、対応する拠点の拠点情報ＤＢ１５１の「商用電源状態」を「切断中」に設定し、商用電源算情報ＤＢ１５２の対応する拠点の「連絡済」フラグを「ＯＮ」に設定し、受信した該拠点の残容量値を「残容量値」に設定する。
【００２４】
次に図５〜８を用いて前記各ルーチンについて詳細に説明する。図５は、蓄電池等監視装置５上で操作する「商用電源チェックルーチン」の動作フロー図である。商用電源のチェックには既存の技術を用いるため詳細には記載していない。先ず商用電源の状態をチェックする（Ｓ５１）。チェック（Ｓ５２）がＯＫであれば、ＯＫをリターン値として呼び元に返して（Ｓ５３）終了する。ＮＧの場合は、ＮＧをリターン値として呼び元に返して（Ｓ５４）終了する。
【００２５】
図６は蓄電池等監視装置５で動作する「商用電源断通知ルーチン」の動作フローである。商用電源断を検出した際に、蓄電池残容量遠隔監視システム１へ商用電源が説出されていることを通知する機能を有する。先ず蓄電池残容量遠隔監視システム１間の通信プロトコルに合わせて商用電源断メッセージを作成する（Ｓ６１）。次に作成した商用電源断メッセージを送信する（Ｓ６２）。
【００２６】
次に蓄電池等監視装置５上で動作する「蓄電池残容量チェックルーチン」および「蓄電池残容量通知ルーチン」について図７および図８を用いて説明する。図７は「蓄電池残容量チェックルーチン」の動作フロー図である。先ず該当拠点の蓄電池の残容量をチェックする（Ｓ７１）。電源の残容量のチェックは既存の技術を利用して行う。残容量があるかチェックし（Ｓ７２）、ある場合は残容量値をリターン値として呼び元に返し（Ｓ７３）終了する。残容量が無く枯渇していれば、「残容量無し」をリターン値として呼び元に返し終了する。図８は「蓄電池残容量通知ルーチン」である。該当の蓄電池の残容量値を蓄電池残容量遠隔監視システム１に通知する機能を有する。先ず残容量値を蓄電池残容量遠隔監視システム１間の通信プロトコルに合わせてメッセージを作成する（Ｓ８１）。作成された蓄電池残容量メッセージを蓄電池残容量遠隔監視システム１に送信する（Ｓ８２）。
【００２７】
次に、蓄電池残容量遠隔監視システム１で動作するメッセージ受信に関する動作について図９を用いて説明する。蓄電池残容量監視装置５は、商用電源断通知もしくは蓄電池残容量通知メッセージを蓄電池残容量遠隔監視システム１に送信する（Ｓ９７）。前述したようにメッセージは通信プロトコルに従って作成されるものであり、また通信が暗号化されている場合は暗号化プロトコルに従って暗号化を行うものである。該メッセージを受信（Ｓ９１）した蓄電池残容量遠隔監視システム１は受信したメッセージにより処理を分岐する（Ｓ９２）。メッセージが商用電源断通知メッセージであるか判断し（Ｓ９３）、そうであれば「商用電源断表示ルーチン」を起動し（Ｓ９４）処理を終了する。異なった場合は、次に受信したメッセージが蓄電池残容量表示メッセージであるか判断する（Ｓ９５）。そうであった場合は「蓄電池残容量表示ルーチン」を起動し（Ｓ９６）処理を終了する。異なった場合は、何もせずに処理を終了する。
【００２８】
次に図１０を用いて拠点の商用電源が切断状態になったというメッセージを受信した場合に制御局である蓄電池残容量遠隔監視システム１が操作者に通知する動作について説明する。先ず蓄電池残容量遠隔監視システム１の表示部１６に受信した該当の拠点の商用電源が切断状態にあることを表示する（Ｓ１０１）。次に図２に示す拠点情報ＤＢの「商用電源状態」を「切断中」に変更し、さらに図３に示す商用電源断情報ＤＢに新たに該当の拠点ＩＤを登録（Ｓ１０２）し終了する。次に「蓄電池残容量表示ルーチン」について図１１を用いて説明する。先ず蓄電池等監視装置５から受信した拠点の蓄電池の残容量をメッセージから取得し、その値を表示部１６に表示する（Ｓ１１１）。次に図２に示す拠点情報ＤＢ１５１の該当拠点の「蓄電池残容量状態」に取得した残容量値を設定登録し、さらに商用電源断情報ＤＢ１５２の該当拠点のデータに受信した時刻に対して欄を追加し「残容量値」のエリアに受信した残容量値を設定登録して（Ｓ１１２）処理を終了する。
【００２９】
次に図１２を用いて商用電源断が発生した際に、担当の保守者に発生状況を通知する「電気障害発生通知ルーチン」について説明する。拠点が商用電源断の状態になった場合は蓄電池が動作し始めるが、なるべく早く蓄電池の電源容量が枯渇しない内に代替の蓄電池を持参して切り替え作業を行わなければならない。そのため商用電源の切断が通知されたときはその状況を保守者に通知する。先ず蓄電池残容量遠隔監視システム１は、「枯渇予想時間算出ルーチン」を起動して（Ｓ１２１）、商用電源断が発生した拠点ごとに枯渇予想時間を算出する。
【００３０】
次に「枯渇予想時間算出ルーチン」からの戻り値である枯渇予想時間を図３に示す商用電源断情報ＤＢ１５２の該当エリアである「枯渇予想時間」に設定登録する（Ｓ１２２）。次に該当拠点の保守担当者、連絡手段（電話、ＦＡＸ、メール）、連絡先電話番号およびメールあて先を図２に示す拠点情報ＤＢ１５１より抽出し連絡手段に従って電話、ＦＡＸ、メールにて通知する。図２において保守担当者は１名のみが登録できるようになっているが、複数の保守担当者を設定登録できるようにしても良いし、保守担当者は別データで構成しその別データから保守担当者を決定するという動作でも良い。電話についても、通常のアナログ電話番号に加えて携帯の電話番号でも良いし、メールのあて先も通常の電子メールでも良いし携帯のメールアドレスでも良い。
【００３１】
電話での連絡手段としてはたとえばＰＢＸもしくはＩＰ−ＰＢＸなどと連携しあらかじめ作成していたボイスメールを送るということでも良いし、電子メールでの通知についてもあらかじめ作成しておいた雛形のＴＯの欄に保守担当者のメールアドレスを書き込み、内容の拠点の欄に商用電源断が発生している拠点を自動的に書き込み送信するという行い方でも良い。このように一箇所の拠点について上記動作を行い、商用電源断情報ＤＢ１５２に登録されている全ての拠点について処理を繰り返す。
【００３２】
次に枯渇予想時間算出ルーチンについて図１３を用いて説明する。商用電源断が発生した際には復旧するまで蓄電池の残容量の測定はたとえば継続して周期的に行っている。その残容量の測定値は図３で示している商用電源断情報ＤＢ１５２の「時刻」にたとえば時系列で値が設定登録されている。上記時刻ごとに図３で示す商用電源断情報ＤＢ１５２に保存されている各時刻の蓄電池の残容量を用いて枯渇に要する時間を算出する（Ｓ１３１）。次に算出した枯渇予想時間を戻し値として呼び元に返しリターンする（Ｓ１３２）。
本発明における第１の実施の形態は以上のように構成され動作する。
【００３３】
本実施の形態によれば、拠点に通信用故障情報伝送装置を設置することなく遠隔地にて拠点の商用電源の切断状態および蓄電池の残容量を把握することができる。蓄電池の枯渇予想時間も予測できるので保守担当者に蓄電池の交換の作業を正確に行うことができる。
【００３４】
次に第２の実施の形態について図１４を用いて説明する。第１の実施の形態と異なる部分は商用電源断状態になっている拠点が複数存在する場合に、保守担当者が訪問すべき順序を作成する機能を有する拠点間訪問順序作成手段（機能）１３７および保守担当者への前記訪問すべき順序などを通知する機能を有する拠点訪問順序通知手段（機能）１３８が追加にされており、さらにメールによる保守担当者への通知があるため携帯のネットワーク６と携帯電話機１０が追加になっている点である。第２の実施の形態では、保守担当者に訪問の順序および内容などを自動的に通知する機能を有し、保守作業を外部委託可能とする形態である。
【００３５】
複数の拠点を保守担当者が順序良く訪問するための手順について図１５〜図２２を用いて説明する。図１５は拠点間の移動に要する時間である。拠点間の移動に必要な時間として算出する。たとえば拠点Ａから拠点Ｂに移動するには４５分を要する。同様に保守拠点から拠点Ａまでは３０分を要する。この図１５の表にて保守拠点とは、保守者の通常の仕事場であり、最初は通常この場所から拠点に向かうものもとする。図１６は蓄電池の種類ごとに交換に要する所要時間を表している。たとえば拠点Ａに蓄電池Ｂが設置されており保守拠点から出向かう場合は、交換が終了するのに３０分（保守拠点から拠点Ａまでに要する所要時間）＋４５分（交換所要時間）＝１時間１５分を要するものである。よって次の拠点には１時間１５分以降に移動可能であるということになる。
【００３６】
図１７は保守担当者の一覧情報である。保守者のたとえば拠点Ａなどの活動拠点、電話番号、携帯電話番号、ＦＡＸ番号、電子メールアドレスおよび携帯のメールアドレスなどの情報を格納している。拠点情報ＤＢにその拠点の保守担当者が登録されていても良いが、図１７の保守担当者情報から空きの担当者を検索して必要な拠点の担当として送り込むことも可能である。
【００３７】
図１８は保守者の携帯電話機に届く通常の拠点訪問指示のメールの例である。この例では拠点の蓄電池残容量監視装置５から直接保守者を指定してメールが届いているが、保守者のみに届く場合は伝わらない可能性もあるのでＣＣに保守担当者のメーリングリストのアドレスを入れるなども良い。
【００３８】
図１９は複数の拠点を訪問する場合の蓄電池残容量遠隔監視システム１から受信される複数拠点の指示メールの例である。本例ではＡ、Ｂ、Ｃで商用電源の断が発生していて、それぞれの蓄電池の残り時間を計算すると先ずＢを訪問し、次にＣそれからＡという順で訪問するように指示されている。
【００３９】
図２０は複数拠点を保守担当者が訪問するに際して、その訪問順序を作成する「拠点間訪問順序作成ルーチン」の動作フローを示している。先ず図３で示す商用電源断情報ＤＢ１５２より蓄電池の枯渇予想時間が短い順に並び替える（Ｓ２０１）。次に一人で可能な分を上述の図１４に示す拠点間の移動に要する時間と図１５に示す蓄電池の交換に要する時間を演算して訪問拠点を決定する（Ｓ２０２）。全ての拠点を１人で訪問できるか判断し（Ｓ２０３）、可能な場合は処理を終了する。できない場合は、残った拠点について再度「枯渇予想時間算出ルーチン」を起動する（Ｓ２０４）。
【００４０】
取り残された拠点が無くなったかどうか判断し（Ｓ２０５）、残っている場合はステップ２０５のｎｏのルートにしたがって再度残された拠点が無くなるまで「枯渇予想時間算出ルーチン」を起動する（Ｓ２０４）。全ての拠点の処理が終了した場合は、算出された必要な保守担当者の人数と、各保守担当者の訪問順序が記載された作業工程を出力し（Ｓ２０６）処理を終了する。この動作により保守担当者１人が訪問する拠点および拠点の数と最終的に必要な保守担当者の数が判明する。
【００４１】
次に上記のように作成した各保守担当者の訪問順序を図１９に例を示すメールにて各担当者にメールにて通知する動作のフローを図２１を用いて説明する。先ず前述した「拠点間訪問順序作成ルーチン」を起動する。結果として前述したように必要な保守担当者の人数と保守担当者が訪問する訪問先の拠点名が判明する（Ｓ２１０）。次に訪問担当者数分以下の作業を行う（Ｓ２１１）。訪問担当者である保守担当者名は既に特定されているので、図１７に示す保守担当者情報より保守者の連絡先電話番号、連絡先メールアドレス、ＦＡＸなどを抽出する（Ｓ２１２）。保守担当者の要望にしたがって、電話番号に電話するか、電子メールを送信するかの選択を行うことも可能である。
【００４２】
本実施の形態では、電子メールで通知することにしている。電話の場合は、ＰＢＸなどを利用して音声合成を行っておいて自動発信装置で必要な保守担当者分電話を自動的にかけることが可能である。電子メールの場合も前述したように、あらかじめ用意している雛形のＴＯに保守者の携帯のメールアドレスを書き込み、内容に図１７に示すほう訪問先情報と順序を書き込み送信する（Ｓ２１３）。上記一連の動作を全ての訪問先が終了するまで実行する（Ｓ２１４）。
【００４３】
本実施の形態では、保守者の電子メールアドレスとして携帯のメールアドレスを使用したが、通常使用しているインターネット上での電子メールアドレスでも良い。さらに携帯のメールを使用する場合は、受信できない可能性も高く、その上携帯のネットワークからのレスポンスが無いことも考えられるので、メールの相手方が受信したことを通知するオプションを使用してメールを送信するようにする。さらに一定期間受信確認のメールが届かない場合は、連絡手段として電話に変更するなどの対策も採っておくことが可能である。
本発明の第２の実施の形態は以上のように構成され動作する。
【００４４】
本実施の形態によれば、第１の実施の形態に加えて、複数の拠点を訪問する必要がある際には保守担当者に訪問の順序を通知することができるので効率的に作業を行うことができる。さらに枯渇予想時間も通知されるので作業に時間を要した場合も蓄電池が枯渇する前に連絡することが可能で効率的になる。をまた作業そのものを外注化することも可能となる。
【００４５】
次に第３の実施の形態について図２２を用いて説明する。第２の実施の形態と異なる部分は拠点側に切替用の蓄電池が存在していて、その切替を行う蓄電池切替手段（機能）５３７が備えられており、さらに制御局側に前記拠点に存在する蓄電池の切替を指示する切替装置遠隔操作手段（機能）１３９が備えられていることである。以下図２３〜図２５を用いて第３の実施の形態の動作について説明する。図２３には第３の実施の形態で使用する拠点情報ＤＢ１５１を示している。第１および第２の実施の形態に加えて蓄電池を複数登録する格納エリアを有することがことなる。図２４は第３の実施の形態で使用する商用電源断情報ＤＢ１５２を示している。第１および第２の実施の形態に加えて、拠点ごとに予備電池を使用しているかそうでないかを記憶する予備電池の格納エリアが追加されている。
【００４６】
図２５には予備電池の切替えの手順を示している。蓄電池残容量遠隔監視システム１の切替装置遠隔操作手段１３９から複数の蓄電池を切り替える要求のメッセージが拠点の蓄電池残容量監視装置５に通知される（Ｓ２５１）。前記切替要求メッセージを受信した（Ｓ２５２）蓄電池等監視装置５は、複数の蓄電池を切替え（Ｓ２５３）、その結果を蓄電池残容量遠隔監視システム１に送信する（Ｓ２５４）。結果を受信した（Ｓ２５５）切替装置遠隔操作手段１３９は図２４に示す商用電源断情報ＤＢ１５２中の「予備電池」のエリアに予備電池が動作中であることを設定登録する（Ｓ２５６）。本実施の形態では予備電池の切替は既存の技術を利用して行うものとする。本発明の第３の実施の形態は以上のように構成され動作する。
【００４７】
本実施の形態によれば、拠点に予備として設定されている蓄電池の切替えを遠隔地にて行うことができ、最初に使用されている蓄電池が枯渇する前に拠点に訪問することができる保守担当者がいない場合でも、遠隔地にて蓄電池を切替え、拠点間の通信が途絶えることを防止することができる。
【産業上の利用可能性】
【００４８】
本発明は電力産業において利用可能である。
【図面の簡単な説明】
【００４９】
【図１】本発明の実施の形態に関わる蓄電池残容量遠隔監視システムおよび拠点の蓄電池等監視装置の機能ブロック図である。
【図２】図１の拠点情報ＤＢである。
【図３】図１の商用電源断情報ＤＢである。
【図４】図１の蓄電池残容量遠隔監視システムの監視の動作フロー図である。
【図５】図１の蓄電池残容量遠隔監視システムが使用する商用電源のチェックルーチンの動作フロー図である。
【図６】図１の蓄電池残容量遠隔監視システムが使用する商用電源断の通知ルーチンの動作フロー図である。
【図７】図１の蓄電池残容量遠隔監視システムが使用する蓄電池残容量のチェックルーチンの動作フロー図である。
【図８】図１の蓄電池残容量遠隔監視システムが使用する蓄電池残容量の通知ルーチンの動作フロー図である。
【図９】図１の蓄電池残容量遠隔監視システムのメッセージ受信に関するイベント解析処理の動作フロー図である。
【図１０】図１の蓄電池残容量遠隔監視システムが使用する商用電源断表示ルーチンの動作フロー図である。
【図１１】図１の蓄電池残容量遠隔監視システムが使用する蓄電池残容量表示ルーチンの動作フロー図である。
【図１２】図１の蓄電池残容量遠隔監視システムにおける商用電源断情報を保守担当者に通知する処理の動作フロー図である。
【図１３】図１の蓄電池残容量遠隔監視システムが使用する枯渇予想時間算出ルーチンの動作フロー図である。
【図１４】本発明の第２の実施の形態に関わる蓄電池残容量遠隔監視システムおよび拠点の蓄電池等監視装置の機能ブロック図である。
【図１５】図１４の蓄電池残容量遠隔監視システムが使用する拠点間移動所要時間のデータである。
【図１６】図１４の蓄電池残容量遠隔監視システムが使用する蓄電池交換作業時間のデータである。
【図１７】図１４の蓄電池残容量遠隔監視システムが使用する保守担当者情報のデータである。
【図１８】図１４の保守担当者への訪問指示メールの内容である。
【図１９】図１４の保守担当者へ複数拠点訪問の指示メールの内容である。
【図２０】図１４の蓄電池残容量遠隔監視システムが使用する拠点間訪問順序作成ルーチンの動作フロー図である。
【図２１】図１４の蓄電池残容量遠隔監視システムが使用する拠点間訪問順序通知ルーチンの動作フロー図である。
【図２２】本発明の第３の実施の形態に関わる蓄電池残容量遠隔監視システムおよび拠点の蓄電池等監視装置の機能ブロック図である。
【図２３】図２２の蓄電池残容量遠隔監視システムが使用する拠点情報ＤＢの構成図である。
【図２４】図２２の蓄電池残容量遠隔監視システムが使用する商用電源断情報ＤＢの構成図である。
【図２５】図２２の切替装置遠隔操作手段および蓄電池切替手段の動作フロー図である。
【符号の説明】
【００５０】
１  蓄電池残容量遠隔監視システム
４  通信ネットワーク
５  拠点蓄電池等監視装置
６  携帯のネットワーク
１２、５２  送受信部
１３、５３  中央処理演算部
１４  記憶部
１５、５５  入力部
１６、５６  表示部
１３１、５３１  送受信処理手段
１３２、５３２  入出力処理手段
１３３  電源断表示手段
１３４  残容量表示手段
１３５  枯渇予想時間算出手段
１３６  電気障害発生通知手段
１３７  拠点間訪問順序作成手段
１３８  拠点間訪問順序通知手段
１３９  切替装置遠隔操作手段
１４１  拠点情報ＤＢ
１４２  商用電源断情報ＤＢ
５３３  商用電源断検出手段
５３４  電源断通知手段
５３５  蓄電池残容量算出手段
５３６  蓄電池残容量通知手段
５３７  蓄電池切替手段
【図１】
2006353023.tif 000003
【図２】
2006353023.tif 000004
【図３】
2006353023.tif 000005
【図４】
2006353023.tif 000006
【図５】
2006353023.tif 000007
【図６】
2006353023.tif 000008
【図７】
2006353023.tif 000009
【図８】
2006353023.tif 000010
【図９】
2006353023.tif 000011
【図１０】
2006353023.tif 000012
【図１１】
2006353023.tif 000013
【図１２】
2006353023.tif 000014
【図１３】
2006353023.tif 000015
【図１５】
2006353023.tif 000016
【図１６】
2006353023.tif 000017
【図１７】
2006353023.tif 000018
【図１８】
2006353023.tif 000019
【図１９】
2006353023.tif 000020
【図２０】
2006353023.tif 000021
【図２１】
2006353023.tif 000022
【図２５】
2006353023.tif 000023
【図１４】
2006353023.tif 000024
【図２２】
2006353023.tif 000025
【図２３】
2006353023.tif 000026
【図２４】
2006353023.tif 000027